【手続補正書】
【提出日】平成15年10月24日(2003.10.24)
【手続補正１】
【補正対象書類名】明細書
【補正対象項目名】全文
【補正方法】変更
【補正の内容】
【発明の名称】携帯電話装置
【特許請求の範囲】
【請求項１】バイブレータと、着信音出力手段を具備し、着信音に合わせてバイブレータの振動を発生させる制御部を有することを特徴とする携帯電話装置。
【発明の詳細な説明】
【０００１】
【発明の属する技術分野】
本発明は、無線電話装置である携帯電話装置に関するもので、詳しくはバイブレータの振動によって身体に様々な通知の感知手段を有する携帯電話装置に関する。
【０００２】
【従来の技術】
近年、携帯電話の普及拡大が進むにつれ、小型化、多機能、性能向上が計られている。
【０００３】
多機能化においては、着信方法も着信音のみならずバイブレータとの組み合わせによって着信が確認できるようになっている。
【０００４】
例としては、着信音、バイブレータの各設定メニューがあり、その設定には、着信音のみ、バイブレータのみ、着信音＋バイブレータの設定があり、着信があるたびにこの設定に従って着信を確認していた。
【０００５】
また、着信音＋バイブレータの設定では、バイブレータの振動後に着信音を鳴らすか、着信音の後にバイブレータを振動させることができた。
【０００６】
その他にも、不特定着信を識別するために、着信音のメロディを変えることによって確認することができた。
【０００７】
【発明が解決しようとする課題】
従来のバイブレータ機能では、着信確認のためにしか利用されてなく、実際、発信者が誰であるかを特定することは、不可能であり、従来の着信音のメロディを変えて発信者を識別する場合においても周囲の雑音が大きい場合（例えば車内、工事現場など）や、音を出せない環境の場合（例えば図書館、会議中、公共の乗物など）では着信音の機能が満たされず不便であった。
【０００８】
また、アラーム機能を利用する際にも前記のことが相当する。
【０００９】
従来の着信音のメロディを変えて発信者を識別する場合においては、受信者レベルは、個々の判別に委ねられているためメロディを記憶しておかないと受信者レベルを判別できないことになり不便である。
【００１０】
また、バイブレータと着信音の組み合わせによる着信通知においてもバイブレータの振動後に着信音を鳴らすか、着信音の後にバイブレータを振動させるため、特に後者の場合は、着信音が聞き取れない場合は、着信音が鳴っている間に発信者が電話を切ってしまう可能性もあり敏速に応答できないという点もある。
【００１１】
また、前者の場合も、常に身体に身につけてない場合はバイブレータの振動の間に発信者の電話が切れてしまう可能性もある。
【００１２】
本発明の目的は、携帯電話が着信音が聴取困難な環境下にあってもアラーム機能、発信者識別が行え、敏速な対応を可能にした携帯電話を提供することにある。
【００１３】
【課題を解決するための手段】
携帯電話装置は、送受信に必要な外線捕捉を行うためのキーと電源キーと、各種機能キーと、バイブレータ機能とを具備し、各種サービス利用可能な携帯電話機において、前記各キーを利用して時間設定を行う時間設定手段と、発信者識別を行う発信者識別手段と、バイブレータ制御手段とを有し、バイブレータの振動、またはその振動を変化させることによってユーザーに対して各種情報を提供可能にすることを特徴とした携帯電話装置である。
【００１４】
携帯電話装置は、前記時間設定手段を用いて任意に時間設定し、各設定時間が経過したらバイブレータ制御手段を用いることで、複数の時間設定時においてバイブレータの振動を変化させることによりユーザーに対し各時間経過を識別して通知することを特徴とする携帯電話装置である。
【００１５】
携帯電話装置は、受信時に特定多数の発信者に対応してバイブレータの振動を変化させることによりユーザーに特定発信者からの通知を伝達することを特徴とする携帯電話装置である。
【００１６】
携帯電話装置は、特定多数の各発信者に重要度を設定可能な手段を有し、その受信者レベルに応じて、着信時のバイブレータの振動に強弱をつけその強弱により受信者レベルをユーザーに伝えることを特徴とする携帯電話装置である。
【００１７】
請求項１記載の携帯電話装置は、バイブレータと、着信音出力手段を具備し、着信音に合わせてバイブレータの振動を発生させる制御部を有することを特徴とする携帯電話装置である。
【００１８】
【発明の実施の形態】
本発明の一実施例を説明する。
【００１９】
図１のシステム構成に基づいて説明する。
【００２０】
１は、無線部であり、ここでデータの送受信を行う、２は、キー入力部でありアラーム設定や、特定受信者設定、受信者レベル設定をここで行う。
【００２１】
３は、バイブレータでここで振動を発生しユーザーに知らせる。
【００２２】
４は、制御部でありここで、プログラムメモリからプログラムを読み取って各制御を行う。
【００２３】
バイブレータの制御もここで行われる。
【００２４】
５では、電話番号や着信状態等の各情報を表示する。６は、プログラムメモリでここに、プログラムが格納される。
【００２５】
７では、データメモリで制御部によってデータを読み書きされる。
【００２６】
８は、オーディオインターフェースで着信音を９のスピーカーで鳴らしたり、１０のマイクで、通話時に使われる。
【００２７】
次に、バイブレータの振動の変化を図２に基づいて説明する。
【００２８】
基本的にバイブレータの振動の変化は、振動の周期を変化させることによって行う。
【００２９】
１１は、基本的な通常のバイブレータ周期としたとき、１２は、バイブレータ周期を１／２周期として、振動を早く感じさせることで通常の振動と変化をつけ、更に、１３は、１１と１２とを組み合わせて振動に変化をつけ様々なパターンを作ることを可能にする。
【００３０】
また、パターンのＨＩＧＨとＬＯＷは、バイブレータのスイッチのＯＮとＯＦＦに対応させ、４の制御部によってこれを行う。
【００３１】
次に図３のフローチャートに基づいて一実施例を説明する。
【００３２】
まず、Ｓ３−１で、時間設定を行う。
【００３３】
これは、２のキー入力部を使い５の表示部で確認しながらアラーム時間の設定処理を行う。
【００３４】
Ｓ３−２では、アラーム時間が経過してないかをチェックする。
【００３５】
もし、設定時間が経過していればＳ３−３で設定判断を行う。
【００３６】
設定判断は、どの時間設定かを確認しＳ３−４で設定にあった振動パターンを選定する。
【００３７】
Ｓ３−５では、そのパターンに基づいたバイブレータの起動をかける。
【００３８】
以上が、一連の動作となる。
【００３９】
また、図４では、実施例をフローチャートに基づいて説明する。まず、Ｓ４−１で特定受信者設定処理を行う。
【００４０】
ここでは、２のキー入力部を使い５の表示部で確認しながらユーザーが電話受信時に発信者を特定したい場合行う。
【００４１】
Ｓ４−２では、受信監視を行い電話受信があればＳ４−３において設定判断を行う。
【００４２】
ここでは、携帯電話のサービスである発番号通知を利用し判別を行う。
【００４３】
番号通知は、発信者の電話番号がわかるものなのでＳ４−３で受信者設定した電話番号と照合を行い一致すれば、Ｓ４−４で設定にあった振動パターンを選定する。
【００４４】
また、一致しない場合は、通常のバイブレータの振動にするか、あるいは、一致しない場合の振動パターンを設定することで常にユーザーに対して通知を伝達することはできる。
【００４５】
Ｓ４−５では、そのパターンに基づいてバイブレータの起動をかける。
【００４６】
Ｓ４−１の特定受信者設定処理で重要度を設定しておく。
【００４７】
例えばここで、設定者１を重要度Ａ、設定者２を重要度Ｂ、設定者３を重要度Ｃとして設定した場合、Ｓ４−５のバイブレータ起動時に設定者の重要度Ａ，Ｂ，Ｃに対応して振動の強さを強中弱に対応すれば、重要度が振動によって知ることができるようになる。
【００４８】
以上が、一連の動作となる。
【００４９】
次に、着信音に合わせたバイブレータ動作を行う場合を図４で説明する。
【００５０】
着信音をメロディ等で鳴らした場合、着信音の音階の切り換わるタイミングでバイブレータをＯＮしたりＯＦＦしたりすることで着信音でバイブレータを作動させる。
【００５１】
１４は、着信音の音階であり、“ド”“レ”“ミ”の３つの音で例を示す。
【００５２】
１５は、バイブレータの動作を示す。
【００５３】
ＨＩＧＨであるときは、ＯＮ、ＬＯＷであるときはＯＦＦとした場合、最初、音階が“ド”のときはバイブレータをＯＮ、次に“レ”に切り換わったときはバイブレータをＯＦＦ、“ミ”でＯＮ、“ド”でＯＦＦ、次に、同じ音階の“ド”であるため、バイブレータは前回の状態を縦続し、ＯＦＦする。
【００５４】
このように、同じ音階が続く場合は、切り換わった時のバイブレータの状態を次に音階が切り換わるまで保持する。
【００５５】
このようにすることで、着信音と連動したバイブレータ制御を可能にする。
【００５６】
【発明の効果】
携帯電話本体に時間設定及び受信登録を行えるキーと、バイブレータ機能とを備えユーザーにバイブレータでの伝達方法が可能な為、敏速に着信を伝達することができる。
【００５７】
設定時間毎にバイブレータの振動を変化させることで、ユーザーに対して各時間経過を識別して通知することができる。
【００５８】
発信者毎にバイブレータの振動を変化させることで、発信者を認識することができる。
【００５９】
重要度設定手段を設けて、バイブレータの振動を変化せることで発信の重要度認識が敏速に行うことができる。
【００６０】
請求項１記載の発明によれば、着信音に連動したバイブレータ動作を行うことで、敏速な着信伝達を行うことができる。
【図面の簡単な説明】
【図１】本発明の携帯電話の構成図である。
【図２】バイブレータの振動の周期を示した図である。
【図３】複数のアラーム設定をバイブレータで知らせる場合のフローチャートである。
【図４】発信者をバイブレータで知らせる場合のフローチャートである。
【図５】着信音とバイブレータの動作タイミングを示す図である。
【符号の説明】
１ 無線部
２ キー入力部
３ バイブレータ
４ 制御部
５ 表示部
６ プログラムメモリ
７ データメモリ
８ オーディオインターフェース
９ スピーカー
１０ マイク
１１ バイブレータ基本動作タイミング
１２ バイブレータ動作タイミング（１／２周期）
１３ バイブレータ動作タイミング（混合）
１４ 着信音階
１５ バイブレータ動作タイミング